(57)【特許請求の範囲】
【請求項１】
記録用紙を搬送する搬送部と、
前記搬送部により搬送される記録用紙に、印刷ジョブに基づく印刷を行う印刷部と、
印刷待ちの前記印刷ジョブが記憶される印刷用キューと、
前記印刷用キューに記憶されている先に印刷指示された印刷ジョブの、前記搬送部において記録用紙の詰まりが発生する確率である発生確率について、先に印刷指示された印刷ジョブの印刷条件から定まる前記発生確率が後に印刷指示された印刷ジョブの印刷条件から定まる前記発生確率より高い場合に、先に印刷指示された印刷ジョブの前記発生確率が高確率であると判断し、先に印刷指示された印刷ジョブの印刷条件から定まる前記発生確率が後に印刷指示された印刷ジョブの印刷条件から定まる前記発生確率より低い場合に、先に印刷指示された印刷ジョブの前記発生確率が高確率でないと判断する確率判断部と、
前記確率判断部により先に印刷指示された印刷ジョブの前記発生確率が高確率でないと判断された場合、先に印刷指示された印刷ジョブを後に印刷指示された印刷ジョブよりも先に前記印刷部に印刷させ、前記確率判断部により先に印刷指示された印刷ジョブの前記発生確率が高確率であると判断された場合、先に印刷指示された印刷ジョブを、後に印刷指示された印刷ジョブよりも後に前記印刷部に印刷させる制御を行う制御部と、
を備えることを特徴とする印刷装置。
【請求項２】
後に印刷指示された印刷ジョブが先に印刷指示された印刷ジョブを追い越すことを許容する条件である追い越し条件を満たすか否かを判断するジョブ判断部を備え、
前記制御部は、前記追い越し条件を満たすと前記ジョブ判断部が判断する場合、先に印刷指示された印刷ジョブを、後に印刷指示された印刷ジョブよりも後に前記印刷部に印刷させることを特徴とする請求項１に記載の印刷装置。
【請求項３】
前記追い越し条件は、後に印刷指示された印刷ジョブの印刷枚数が先に印刷指示された印刷ジョブの印刷枚数より少ないという条件であることを特徴とする請求項２に記載の印刷装置。
【請求項４】
前記確率判断部により先に印刷指示された印刷ジョブの前記発生確率が高確率と判断される印刷条件を、前記確率判断部により先に印刷指示された印刷ジョブの前記発生確率が高確率でないと判断される印刷条件に変更する変更部を備え、
前記制御部は、前記変更部により前記率判断部により先に印刷指示された印刷ジョブの前記発生確率が高確率と判断される印刷条件が、前記確率判断部により先に印刷指示された印刷ジョブの前記発生確率が高確率でないと判断される印刷条件に変更された場合に、先に印刷指示された印刷ジョブを後に印刷指示された印刷ジョブよりも先に前記印刷部に印刷させる制御を行うことを特徴とする請求項１〜３のいずれかに記載の印刷装置。
【請求項５】
記録用紙を前記搬送部に給紙する給紙部を備え、
前記変更部は、前記確率判断部により先に印刷指示された印刷ジョブの前記発生確率が高確率と判断される印刷条件が、前記確率判断部により先に印刷指示された印刷ジョブの前記発生確率が高確率でないと判断される印刷条件に変更されるように、前記給紙部を変更することを特徴とする請求項４に記載の印刷装置。
【請求項６】
前記確率判断部により先に印刷指示された印刷ジョブの前記発生確率が高確率であると判断された場合に、先に印刷指示された印刷ジョブを、後に印刷指示された印刷ジョブよりも後に前記印刷部に印刷させる旨を報知する報知部を備えることを特徴とする請求項１〜５のいずれかに記載の印刷装置。
【発明の詳細な説明】
【技術分野】
【０００１】
本発明は、記録用紙の紙詰まりの検出機能を備えた印刷装置に関する。
【背景技術】
【０００２】
従来、原稿から読み取った画像データに基づいて記録用紙に画像を印刷するコピー動作中において、記録用紙の詰まりが搬送路内で発生した場合に、搬送路のみの動作を停止させるが、原稿の読み取りは継続させ、ＲＡＭに原稿から読み取った画像データを記憶させる印刷装置が知られている。この印刷装置は、記録用紙の詰まりが解消されると、記録用紙の詰まりにより印刷出力が中断されたページの画像データをＲＡＭから読み出す。そして、読み出した画像データに基づいて印刷出力動作を再開させる。
【先行技術文献】
【特許文献】
【０００３】
【特許文献１】特開２００３−２５９０６４号公報
【発明の概要】
【発明が解決しようとする課題】
【０００４】
しかしながら、ユーザが記録用紙の詰まりを解消しても、何度も記録用紙の詰まりが搬送路内で発生しまうことがある。この様な場合、記録用紙の種類、使用する用紙トレイ及び片面印刷又は両面印刷であるか等の印刷条件を変えなければ、ユーザが記録用紙の詰まりを解消しても、再び記録用紙の詰まりが搬送路内で発生しまうことがある。例えば、厚紙に印刷する場合に記録用紙の詰まりが多いときは、紙詰まりを解消しても、記録用紙の種類を厚紙から普通紙に変更等しなければ、再び記録用紙の詰まりが発生する可能性が高い。このため、記録用紙の詰まりの発生確率が高い印刷ジョブが記録用紙の詰まりを起こすことで、記録用紙の詰まりの発生確率が高い印刷ジョブにより記録用紙の詰まりの発生確率が低い印刷ジョブの印刷が待たされるという問題があった。
【０００５】
そこで、記録用紙の詰まりの発生確率が高い印刷ジョブにより記録用紙の詰まりの発生確率が低い印刷ジョブの印刷が待たされにくい印刷装置を提供することを目的とする。
【課題を解決するための手段】
【０００６】
この目的を達成するために、本発明の印刷装置は、記録用紙を搬送する搬送部と、搬送部により搬送される記録用紙に、印刷ジョブに基づく印刷を行う印刷部と、印刷ジョブの印刷中に搬送部において記録用紙の詰まりが発生する確率である発生確率が高確率かを、印刷待ちの印刷ジョブの中に、先に印刷指示された印刷ジョブの印刷条件と後に印刷指示された印刷ジョブとの印刷条件から判断する確率判断部と、確率判断部により発生確率が高確率でないと判断される印刷ジョブを印刷部に印刷させる制御を行う制御部と、を備えることを特徴とする。ここで、記録用紙の詰まりが発生する確率である発生確率は、記録用紙１枚のジャム発生確率であっても、印刷ジョブごとのジャム発生確率であってもよい。
【０００７】
この構成によれば、高確率と判断される印刷ジョブを後で印刷することで、高確率と判断される印刷ジョブによる記録用紙の詰まりの発生を抑止することとなり、記録用紙の詰まりの発生確率が高確率と判断される印刷ジョブにより記録用紙の詰まりの発生確率が高確率でないと判断される印刷ジョブの印刷が待たされにくくなる。
【０００８】
また、制御部は、印刷待ちの印刷ジョブの中に、確率判断部により発生確率が高確率と判断される印刷ジョブを除いた印刷ジョブが存在しない場合、確率判断部により発生確率が高確率と判断される印刷ジョブに基づいて印刷部に印刷を開始させるようにしてもよい。
【０００９】
この構成によれば、印刷待ちの印刷ジョブの中に、高確率と判断される印刷ジョブしか存在しない場合は、不必要な記録用紙の詰まりの発生を抑止することがなくなり、高確率と判断される印刷ジョブについて印刷が行われないという事態を回避することができる。
【００１０】
また、確率判断部により発生確率が高確率でないと判断される印刷ジョブが、発生確率が高確率と判断される印刷ジョブを追い越すことを許容する条件である追い越し条件を満たす発生確率が高確率でないと判断される印刷ジョブが存在するか否かを判断するジョブ判断部を備え、制御部は、印刷待ちの印刷ジョブの中に、確率判断部により発生確率が高確率と判断される印刷ジョブよりも後に印刷指示された確率判断部により発生確率が高確率でないと判断される印刷ジョブであって、かつ、追い越し条件を満たす確率判断部により発生確率が高確率でないと判断される印刷ジョブが存在しないとジョブ判断部が判断する場合、確率判断部により発生確率が高確率と判断される印刷ジョブに基づいて印刷部に印刷させてもよい。
【００１１】
このような構成によれば、印刷待ちの印刷ジョブの中に、高確率と判断される印刷ジョブよりも後に印刷指示された高確率でないと判断される印刷ジョブであって、かつ、追い越し条件を満たす高確率でないと判断される印刷ジョブが存在しない場合、高確率と判断される印刷ジョブの印刷が後回しになることがなくなり、いつまでも印刷対象とされた印刷ジョブが印刷されない事態を回避することができる。
【００１２】
また、追い越し条件は、印刷枚数が確率判断部により発生確率が高確率と判断される印刷ジョブより少ないという条件であってもよい。
【００１３】
このような構成によれば、高確率と判断される印刷ジョブの印刷枚数高確率でないと判断される印刷ジョブの印刷枚数より少ない場合、高確率と判断される印刷ジョブが印刷されることとなり、高確率と判断される印刷ジョブのユーザが長い間待たされる事態を回避することができる。
【００１４】
また、確率判断部により発生確率が高確率と判断される印刷ジョブの印刷条件を、確率判断部により発生確率が高確率でないと判断される印刷条件に変更する変更部を備え、制御部は、変更部により率判断部により発生確率が高確率と判断される印刷ジョブの印刷条件が、確率判断部により発生確率が高確率でないと判断される印刷条件に変更された場合に、変更された印刷条件に基づいて制御を行なってもよい。
【００１５】
このような構成によれば、記録用紙の詰まりの発生確率が高確率でないと判断される印刷条件に変更される印刷ジョブに基づいて印刷されることとなり、記録用紙の詰まりの発生確率が高確率と判断される印刷ジョブに基づいて印刷が行われない事態を少なくすることができる。
【００１６】
記録用紙を搬送部に給紙する給紙部を備え、変更部は、確率判断部により発生確率が高確率と判断される印刷ジョブの印刷条件が、確率判断部により発生確率が高確率でないと判断される印刷条件に変更されるように記録用紙の種類と給紙部とを変更してもよい。
【００１７】
このような構成によれば、紙詰まりの発生確率が高確率でないと判断されるようになり、ユーザの手を煩わせることなく紙詰まりの発生を抑制することができる。
【００１８】
また、確率判断部により発生確率が高確率でないと判断される印刷ジョブがある場合に、制御部が確率判断部により発生確率が高確率とでない判断される印刷ジョブの印刷を開始させる旨を報知する報知部を備えていていもよい。
【００１９】
このような構成によれば、ユーザは高確率印刷ジョブの印刷が開始されないことを把握しやすくなり、ユーザの利便性が向上する。
【００２０】
報知部は、確率判断部により発生確率が高確率と判断される印刷ジョブの印刷条件が、確率判断部により発生確率が高確率でないと判断される印刷条件に変更されるように記録用紙の種類と給紙部とを変更することを報知するようにしてもよい。
【００２１】
このような構成によれば、ユーザは記録用紙の種類と給紙部とが変更されることを把握しやすくなり、ユーザの利便性が増す。
【００２２】
この目的を達成するために、本発明の印刷装置は、記録用紙を搬送する搬送部と、搬送部により搬送される記録用紙に、印刷ジョブに基づく印刷を行う印刷部と、印刷ジョブの印刷中に搬送部において記録用紙の詰まりが発生する確率である発生確率が所定の発生確率を超えるかを印刷ジョブの印刷条件から判断する確率判断部と、確率判断部により発生確率が所定の発生確率を超えると判断される印刷ジョブが印刷部によって印刷されることを禁止する制御を行う制御部と、を備えるようにしてもよい。
【００２３】
この構成によれば、高確率と判断される印刷ジョブを後で印刷することで、高確率と判断される印刷ジョブによる記録用紙の詰まりの発生を禁止することとなり、記録用紙の詰まりの発生確率が高い印刷ジョブにより記録用紙の詰まりの発生確率が低い印刷ジョブの印刷が待たされなくなる。
【００２４】
また、確率判断部は、発生確率が所定の確率を超える高確率かを、印刷部による印刷中に記録用紙の詰まりが発生すると予想される第一の発生確率に基づいて判断し、制御部は、確率判断部により第一の発生確率より発生確率を超えると判断される第一印刷ジョブを、印刷待ちの印刷ジョブの中の最後に印刷順序を入れ替えるようにしてもよい。
【００２５】
このような構成によれば、第一の発生確率より発生確率を超えると判断される印刷ジョブは印刷順序が後になり、第一の発生確率より発生確率を超えると判断される印刷ジョブの紙詰まりにより、他のユーザの印刷が記録用紙の詰まりが解消されるまで待たされる事態を回避することができる。
【００２６】
また、確率判断部は、発生確率が所定の確率を超える高確率かを高低を第一の発生確率より発生確率の低い第二の発生確率に基づいて判断し、制御部は、確率判断部により第二の発生確率を発生確率が超えないと判断される第二印刷ジョブを、確率判断部により第二の発生確率を発生確率が超えると判断される第三印刷ジョブよりも先に印刷するようにしてもよい。
【００２７】
このような構成によれば、第二の発生確率より発生確率を超えないと判断される第二印刷ジョブの印刷は不必要に待たされることがなくなり、ユーザの利便性が増す。
【図面の簡単な説明】
【００２８】
【図１】本発明の一実施形態に係る印刷システムの電気的構成を示すブロック図である。
【図２】プリンタの内部構成を示した概略図である。
【図３】記録用紙タイプのジャム情報テーブルの一例を示した図である。
【図４】トレイのジャム情報テーブルの一例を示した図である。
【図５】印字面のジャム情報テーブルの一例を示した図である。
【図６】本発明の第１の実施形態に係る印刷順序変更処理の流れを示すフローチャートである。
【図７】表示部に表示するメッセージの一例を示した図面である。
【図８】本発明の第２の実施形態に係るキャンセル処理の流れを示すフローチャートである。
【図９】表示部に表示するメッセージの一例を示した図面である。
【図１０】本発明の第３の実施形態に係る第１の印刷設定変更処理の流れを示すフローチャートである。
【図１１】表示部に表示するメッセージの一例を示した図面である。
【図１２】本発明の第４の実施形態に係る第２の印刷設定変更処理の流れを示すフローチャートである。
【図１３】表示部に表示するメッセージの一例を示した図面である。
【発明を実施するための形態】
【００２９】
（第１の実施形態）
１．印刷システムの電気的構成 
図１は、本実施形態の印刷システム１の電気的構成を示すブロック図である。印刷システム１は、端末装置１０（例えばパーソナルコンピュータ 情報処理装置の一例）とプリンタ３０（印刷装置の一例）とを備える。
【００３０】
端末装置１０は、ＣＰＵ１１、ＲＯＭ１２、ＲＡＭ１３、ハードディスクドライブ（ＨＤＤ）１４、キーボードやポインティングデバイス等を有する操作部１５、液晶ディスプレイ（表示部の一例）等を有する表示部１６、通信回線２０に接続されるネットワークインターフェイス（ネットワークＩ／Ｆ）１７等を備えている。ハードディスクドライブ１４には、ＯＳや、印刷用のデータを作成可能なアプリケーションソフト、プリンタ３０を制御するためのプリンタドライバなどの各種プログラムが記憶されている。
【００３１】
プリンタ３０は、ＣＰＵ３１（確率判断部、制御部、ジョブ判断部、変更部の一例）、ＲＯＭ３２、ＲＡＭ３３、ハードディスクドライブ（ＨＤＤ）３４、操作部３５、表示部３６（表示部の一例）、印刷部３７（印刷部の一例）、搬送機構３８（搬送部の一例）、ネットワークインターフェイス（ネットワークＩ／Ｆ）３９、シート検知部４０等を備えている。ＲＯＭ３２には、プリンタ３０の動作を制御するための各種プログラムが記録されており、ＣＰＵ３１は、ＲＯＭ３２から読み出したプログラムに従って、その処理結果をＲＡＭ３３に記憶させながら、プリンタ３０の動作を制御する。
【００３２】
ＲＡＭ３３には、印刷用キュー等が記憶されており、ハードディスクドライブ３４には、後述するジャム情報テーブル等が記憶されている。
【００３３】
操作部３５は、複数のボタンを備え、ユーザによって印刷開始の指示などの各種の入力操作が可能である。表示部３６は、液晶ディスプレイやランプ等を備えており、各種の設定画面や動作状態等を表示することが可能である。印刷部３７は、記録用紙Ｗに印刷を行う。ネットワークインターフェイス３９は、通信回線２０を介して外部の端末装置１０等に接続されており、相互のデータ通信が可能となっている。搬送機構３８及びシート検知部４０については後述する。
【００３４】
２．プリンタの内部構成
図２はプリンタ３０の内部構成を示した概略図である。
【００３５】
プリンタ３０は、収納部４１、搬送機構３８、上述の印刷部３７、定着器４３及び排出トレイ４５等を備えている。
【００３６】
収納部４１は、プリンタ３０の底部に設けられており、例えば、標準トレイＴ１とオプショントレイＴ２との複数のトレイＴを備え、各トレイＴに記録用紙Ｗが収納されている。
【００３７】
搬送機構３８は、ピックアップローラ４７、レジストレーションローラ４９、シート搬送用のベルト５１、及び、反転機構５３等を備える。ピックアップローラ４７は、トレイＴに収納された記録用紙Ｗを１枚ずつ取り出してレジストレーションローラ４９へと搬送する。レジストレーションローラ４９は、搬送されてきた記録用紙Ｗの姿勢を整えて、所定のタイミングでベルト５１上に送り出す。
【００３８】
印刷部３７は、画像データに基づいて、周知の帯電―露光―現像―転写―定着の電子写真方式によって記録用紙Ｗ上に画像を印刷する。例えば、ベルト５１により搬送される記録用紙Ｗに対し、所定の印刷位置Ｘにて、例えば端末装置１０から受信した印刷データに基づくモノクロ画像やカラー画像を形成する。画像が形成された記録用紙Ｗは、定着器４３で熱定着され、排出トレイ４５上へと排出される。なお、トレイＴからの記録用紙Ｗを印刷位置Ｘに導くための経路（図２の実線矢印部分）を、印刷搬送パスＰ１という。
【００３９】
反転機構５３は、排出ローラ５５、反転搬送パスＰ２（図２の点線矢印部分）、フラッパ５９、複数の反転搬送ローラ６１等を備えている。例えば両面連続方式で両面印刷する場合には、記録用紙Ｗは、印刷部３７により裏面（トレイＴに収納されていたときの下面）に画像が印刷され、その後、一旦排出ローラ５５まで搬送される。そして、当該排出ローラ５５の逆回転により、記録用紙Ｗは、フラッパ５９、反転搬送パスＰ２、複数の反転搬送ローラ６１、レジストローラ４９を介して搬送され、表裏が反転された状態でベルト５１上に送り出される。そして、その記録用紙Ｗは印刷部３７により表面（トレイＴに収納されていたときの上面）に画像が印刷された後に排出トレイ４５上へと排出される。
【００４０】
シート検知部４０は、複数のセンサ４０Ａ、４０Ｂを有し、各センサ４０Ａ、４０Ｂは、搬送機構３８内の各搬送位置における記録用紙Ｗの有無に応じた検知信号を出力する。ＣＰＵ３１は、各センサ４０Ａ、４０Ｂから、記録用紙Ｗの有りを示す検知信号を規定時間以上継続して受けた場合、あるいは、規定時間以上継続して受けない場合に、各搬送位置でジャム（記録用紙詰まり）が発生したと判断する。第１の実施形態では、図２に示すように、印刷搬送パスＰ１にセンサ４０Ａが設けられ、また、反転搬送パスＰ２にセンサ４０Ｂが設けられているため、ＣＰＵ３１は、印刷搬送パスＰ１、反転搬送パスＰ２のどちらでジャムが発生したかも判断することができる。
【００４１】
３．ジャム情報テーブル
図３〜５は、記録用紙タイプ、トレイＴ、印字面ごとに、ジャム回数、印刷枚数及び記録用紙１枚あたりのジャム発生確率を記憶したジャム情報テーブルである。ジャム情報テーブルは、印刷を行う度に、ジャム回数、印刷枚数及びジャム発生確率が更新される。なお、図３〜５の記録用紙１枚あたりのジャム発生確率は、例えば最近１ヶ月のプリンタ３０の使用履歴から求められ、ピックアップローラ４７、レジストレーションローラ４９等の経年変化により高くなっているため、厚紙等のジャム発生確率が高くなっている。また、工場出荷時から図３〜５に示すような値とはなっていない。
【００４２】
図３は、記録用紙タイプごとに、ジャム回数、印刷枚数及び記録用紙１枚あたりのジャム発生確率を記憶した記録用紙タイプのジャム情報テーブル２００の一例を示した図である。例えば、ジャム発生確率は、記録用紙の厚みによって異なる。
【００４３】
図４は、トレイＴごとに、ジャム回数、印刷枚数及び記録用紙１枚あたりのジャム発生確率を記憶したトレイＴのジャム情報テーブル２１０の一例を示した図である。例えば、ジャム発生確率は、トレイＴによるピックアップローラ４７からレジストレーションローラ４９までの搬送経路の長さの違い、又は、使用頻度により部品等の使用頻度によって異なる。
【００４４】
図５は、印刷面ごとに、ジャム回数、印刷枚数及び記録用紙１枚あたりのジャム発生確率を記憶した印刷面のジャム情報テーブル２２０の一例を示した図である。例えば、ジャム発生確率は、片面印刷であるか両面印刷であるか搬送経路の長さにより異なる。片面印刷では印刷搬送パスＰ１だけを使うが、両面印刷では印刷搬送パスＰ１と反転搬送パスＰ２とを使うので、搬送経路の長さが異なる。
【００４５】
記録用紙１枚あたりのジャム発生確率は、記録用紙タイプ、トレイＴ、印字面ごとにプリンタ３０において発生したジャムの発生確率であり、本実施形態では、各ジャムの発生回数をプリンタ３０での記録用紙Ｗの累積印刷枚数で除算して算出される。なお、両面印刷の場合は２枚とはカウントせず、１枚とカウントする。
【００４６】
４．印刷処理
図６は、ジャム発生確率の高い印刷ジョブの印刷順序を変更する印刷順序変更処理の流れを示すフローチャートである。ＣＰＵ３１は、ユーザからプリンタ３０の操作部３５を介して印刷指示をすると、印刷指示のあった時刻の順に印刷ジョブをＲＡＭ３３の印刷用キューに記憶させる。また、末端装置１０の操作部１５を介して印刷指示をする場合も同様である。さらに、ＣＰＵ３１は、印刷指示とは別に定期的に、印刷順序変更処理を実行する。
【００４７】
まず、ＣＰＵ３１は、ＲＡＭ３３に記憶されている印刷用キューに印刷ジョブがあるか判断し（Ｓ１０１）、印刷用キューに印刷ジョブがないと判断する場合（Ｓ１０１：ＮＯ）、印刷順序変更処理を終了する。
【００４８】
一方、ＣＰＵ３１は、印刷用キューに印刷ジョブがあると判断する場合（Ｓ１０１：ＹＥＳ）、印刷用キューの先頭にある印刷ジョブを処理対象ジョブに決定し（Ｓ１０２）、印刷用キューに印刷ジョブが複数あるか判断する（Ｓ１０３）。
【００４９】
Ｓ１０３において、ＣＰＵ３１は、印刷用キューに印刷ジョブが複数ないと判断する場合（Ｓ１０３：ＮＯ）、処理対象ジョブを印刷部３７に印刷させて（Ｓ１１２）、印刷順序変更処理を終了する。これは、処理対象ジョブにおいてジャムが発生しても他のジョブがなく、処理対象ジョブのユーザ以外に迷惑がかかることが少ないと考えられるからである。
【００５０】
一方、ＣＰＵ３１は、印刷用キューに印刷ジョブが複数あると判断する場合（Ｓ１０３：ＹＥＳ）、印刷用キューにおける処理対象ジョブと処理対象ジョブ以外の印刷ジョブ比較対象ジョブに決定する（Ｓ１０４）。
【００５１】
次に、ＣＰＵ３１は、処理対象ジョブの印刷条件における記録用紙１枚のジャム発生確率が２０％以上であるか判断し（Ｓ１０５）、処理対象ジョブの印刷条件における記録用紙１枚のジャム発生確率が２０％未満であると判断する場合（Ｓ１０５：ＮＯ）、続いて、処理対象ジョブの印刷条件における記録用紙１枚のジャム発生確率が１０％以上であるか判断する（Ｓ１０６）。そして、ＣＰＵ３１は、処理対象ジョブの印刷条件における記録用紙１枚のジャム発生確率が１０％以上であると判断する場合（Ｓ１０６：ＹＥＳ）、処理対象ジョブの印刷条件における記録用紙１枚のジャム発生確率と比較対象ジョブの印刷条件における記録用紙１枚のジャム発生確率とのうち、どちらのジャム発生確率が高いか判断する（Ｓ１０７）。
【００５２】
例えば、図３の記録用紙タイプのジャム発生確率テーブル２００において、厚紙は、印刷枚数３０枚のうち４回、ジャムを発生させているためジャム発生確率は１３％であるので、処理対象ジョブは、ＣＰＵ３１にジャム発生確率が高い印刷ジョブと判断され、比較対象ジョブと比較される。
【００５３】
一方、Ｓ１０５において、ＣＰＵ３１は、処理対象ジョブの印刷条件における記録用紙１枚のジャム発生確率が２０％以上であると判断する場合（Ｓ１０５：ＹＥＳ）、処理対象ジョブを印刷用キューの最後に移動して（Ｓ１１１）、印刷順序変更処理を終了する。例えば、図３の記録用紙タイプのジャム発生確率テーブル２００において、光沢紙は、印刷枚数１５枚のうち３回、ジャムを発生させているため光沢紙１枚あたりのジャム発生確率は２０％である。このため、光沢紙の処理対象ジョブを印刷用キューの最後の印刷ジョブとなるように印刷順序が変更される。
【００５４】
ここで、Ｓ１０５及びＳ１０６のジャム発生率の判断では、まず、処理対象ジョブ及び比較対象ジョブの記録用紙タイプ、使用するトレイＴ、及び、片面印刷か両面印刷かの印刷条件の情報に基づき、記録用紙タイプのジャム情報テーブル２００、トレイＴのジャム情報テーブル２１０及び印刷面のジャム情報テーブル２２０の中からジャム発生確率の最も高いジャム発生確率を、ＣＰＵ３１が抽出する。次に、ＣＰＵ３１が、抽出したジャム発生確率が所定のジャム発生確率を超えているか否かを判断する。つまり、絶対比較を行っている。
【００５５】
Ｓ１０７において、ＣＰＵ３１は、比較対象ジョブの印刷条件における記録用紙１枚のジャム発生確率より処理対象ジョブの印刷条件における記録用紙１枚のジャム発生確率が高いと判断する場合（Ｓ１０７：ＹＥＳ）、続いて、比較対象ジョブの印刷枚数が１０枚未満であるか判断する（Ｓ１０８）。なお、Ｓ１０７やＳ１０８のように相対的に印刷ジョブを比較することで、処理対象ジョブと比較対象ジョブとのうち、確実に記録用紙１枚のジャム発生確率が低い印刷ジョブについて先に印刷することができる。
【００５６】
例えば、処理対象ジョブの印刷枚数が１０枚である場合、比較対象ジョブの印刷枚数が５枚であって、処理対象ジョブの印刷枚数より少なければ、比較対象ジョブの印刷にかかる時間は、処理対象ジョブの印刷にかかる時間よりも短くなる。一方、比較対象ジョブの印刷枚数が５００枚であって、処理対象ジョブの印刷枚数より多い場合は、比較対象ジョブのジャム発生確率が処理対象ジョブのジャム発生確率より低くても、比較対象ジョブの印刷にかかる時間は、処理対象ジョブの印刷にかかる時間よりも長くなる。このため、先に印刷指示した処理対象ジョブのユーザが長く待たされることがあり、処理対象ジョブのユーザにとって不便であるので、比較対象ジョブの印刷枚数が１０枚未満であると判断する場合（Ｓ１０８：ＹＥＳ）、処理対象ジョブのユーザに処理対象ジョブが比較対象ジョブに追い越されることを通知させる（Ｓ１０９）。
【００５７】
具体的には、ＣＰＵ３１は、「ジャム発生率が高いジョブのため後続のジョブ○○を先に印刷します」というメッセージ３００を処理対象ジョブのユーザの末端装置１０の表示部１６に表示させるように、処理対象ジョブのユーザの末端装置１０にデータを送信する。そして、ＣＰＵ３１が表示部１６にメッセージ３００を表示させる。また、処理対象ジョブのユーザが処理対象ジョブのユーザの末端装置１０の付近でなく、プリンタ３０の付近にいることも想定されるので、ＣＰＵ３１は、表示部３６にも同様にメッセージ３００を表示させる。
【００５８】
次に、ＣＰＵ３１は、比較対象ジョブに基づいて印刷部３７に印刷を実行させ（Ｓ１１０）、印刷順序変更処理を終了する。
【００５９】
なお、ＣＰＵ３１は、処理対象ジョブの印刷条件における記録用紙１枚のジャム発生確率が１０％未満であると判断する場合（Ｓ１０６：ＮＯ）、処理対象ジョブの印刷条件における記録用紙１枚のジャム発生確率より比較対象ジョブの印刷条件における記録用紙１枚のジャム発生確率が高いと判断する場合（Ｓ１０７：ＮＯ）、及び、比較対象ジョブの印刷枚数が１０枚以上であると判断する場合（Ｓ１０８：ＮＯ）のいずれかに該当するときは、処理対象ジョブのジャム発生確率が低いので、処理対象ジョブに基づいて印刷部３７に印刷を実行させ（Ｓ１１２）、印刷順序変更処理を終了する。
【００６０】
また、ＲＡＭ３３に記憶されている印刷用キューに印刷ジョブが３つ以上ある場合、ＣＰＵ３１は、比較対象ジョブより処理対象ジョブの記録用紙１枚のジャム発生確率が低いと、処理対象ジョブに基づいて印刷部３７に印刷を実行させる。そして、ＣＰＵ３１が次回の印刷順序変更処理を実行するときに、今回の印刷順序変更処理における比較対象ジョブが処理対象ジョブに決定され（Ｓ１０２）、今回の印刷順序変更処理における比較対象ジョブの次の印刷ジョブが比較対象ジョブに決定される（Ｓ１０４）。
【００６１】
一方、ＣＰＵ３１は、処理対象ジョブより比較対象ジョブの記録用紙１枚のジャム発生確率が低いと、比較対象ジョブに基づいて印刷部３７に印刷を実行させる。そして、ＣＰＵ３１が次回の印刷順序変更処理を実行するときに、処理対処ジョブは変更されず、今回の印刷順序変更処理における比較対象ジョブの次の印刷ジョブが比較対象ジョブに決定される（Ｓ１０４）。
【００６２】
（第１の実施形態の効果）
ＣＰＵ３１は、処理対象ジョブの印刷条件における記録用紙１枚のジャム発生確率が１０％以上であると判断する場合（Ｓ１０６：ＹＥＳ）、Ｓ１０９やＳ１１０において処理対象ジョブが比較対象ジョブに追い越されることを許可したり、Ｓ１１１において処理対象ジョブを印刷用キューの最後に移動したりするので、ジャム発生確率が高い処理対象ジョブによるジャムの発生を抑止することとなり、記録用紙Ｗの詰まりの発生確率が高確率と判断される印刷ジョブにより記録用紙Ｗの詰まりの発生確率が高確率でないと判断される印刷ジョブの印刷が待たされにくくなる。
【００６３】
また、ＣＰＵ３１は、印刷用キューに印刷ジョブが複数ないと判断する場合（Ｓ１０３：ＮＯ）、処理対象ジョブを印刷部３７に印刷させるので（Ｓ１１２）、ジャム発生確率が高い可能性がある処理対象ジョブの印刷を不必要に抑止することがなくなり、ジャム発生確率が高い処理対象ジョブについて印刷が行われないという事態を回避することができる。
【００６４】
また、ＣＰＵ３１が処理対象ジョブの印刷条件における記録用紙１枚のジャム発生確率より比較対象ジョブの印刷条件における記録用紙１枚のジャム発生確率が高いと判断する場合（Ｓ１０７：ＮＯ）、又は、ＣＰＵ３１が比較対象ジョブの印刷枚数が１０枚以上であると判断する場合（Ｓ１０８：ＮＯ）、処理対象ジョブが比較対象ジョブよりも印刷が後になることがなくなり、いつまでも処理対象ジョブに基づいて印刷されない事態を回避することができる。
【００６５】
また、比較対象ジョブのジャム発生確率が処理対象ジョブのジャム発生確率より低くても、比較対象ジョブの印刷枚数が多い場合、先に印刷指示した処理対象ジョブのユーザが長く待たされにくくなる。なお、追い越し条件は、所定の印刷枚数で区切ってもよいし、印刷枚数が処理対象ジョブより少ない枚数であることでもよい。また、追い越し条件は、所定の印刷枚数以内の比較対象ジョブであることであったが、所定時間以内に投入された比較対象ジョブ、所定数の比較対象ジョブ、所定のユーザの比較対象ジョブを追い越し条件としてもよい。
【００６６】
また、ＣＰＵ３１は、「ジャム発生率が高いジョブのため後続のジョブ○○を先に印刷します」というメッセージ３００を、処理対象ジョブのユーザの末端装置１０の表示部１６に表示させる。また、ＣＰＵ３１は、表示部３６にも同様にメッセージ３００を表示させるので、ユーザは処理対処ジョブの印刷が開始されないことを把握しやすくなり、ユーザの利便性が向上する。
【００６７】
また、ＣＰＵ３１は、処理対象ジョブの印刷条件における記録用紙１枚のジャム発生確率が２０％以上であると判断する場合（Ｓ１０５：ＹＥＳ）、処理対象ジョブを印刷用キューの最後に移動するので（Ｓ１１１）、記録用紙１枚のジャム発生確率が２０％以上の処理対象ジョブの印刷が印刷用キューにある印刷ジョブの最後となり、記録用紙１枚のジャム発生確率が２０％以上の処理対象ジョブの印刷により、他のユーザの印刷が記録用紙の詰まりが解消されるまで待たされる事態を回避することができる。ここで、第一の発生確率は、２０％であり、一つの印刷ジョブに基づく印刷中にジャムが発生する可能性が高い値である。また、第一ジョブは、録用紙１枚のジャム発生確率が２０％以上である印刷ジョブである。
【００６８】
また、ＣＰＵ３１は、処理対象ジョブの印刷条件における記録用紙１枚のジャム発生確率が１０％未満であると判断する場合（Ｓ１０６：ＮＯ）、処理対象ジョブに基づいて印刷部３７に印刷を実行させるので（Ｓ１１２）、記録用紙１枚のジャム発生確率が１０％未満である処理対象ジョブのユーザは不必要に待たされることがなくなり、ユーザの利便性が増す。ここで、第二の発生確率は、１０％であり、第二確率ジョブは、記録用紙１枚のジャム発生確率が１０％未満であるジョブである。また、第三確率ジョブは、記録用紙１枚のジャム発生確率が１０％以上２０％未満の印刷ジョブである。
【００６９】
（第２の実施形態）
次に、本発明の第２の実施形態について説明する。第２の実施形態は、第１の実施形態と異なり、印刷ジョブのジャム発生確率が高い場合には、ジャム発生確率が高い印刷ジョブをキャンセルする実施形態である。
【００７０】
図８は、ジャム発生確率の高い印刷ジョブの印刷設定をキャンセルするキャンセル処理の流れを示すフローチャートである。図８及び図９を参照しながら、キャンセル処理について説明する。
【００７１】
まず、ＣＰＵ３１は、ＲＡＭ３３に記憶されている印刷用キューに印刷ジョブがあるか判断し（Ｓ１０１）、印刷用キューに印刷ジョブがあると判断する場合（Ｓ１０１：ＹＥＳ）、続いて、処理対象ジョブの印刷条件における記録用紙１枚のジャム発生確率が２０％以上であるか判断する（Ｓ１０５）。
【００７２】
Ｓ１０５において、ＣＰＵ３１は、処理対象ジョブの印刷条件における記録用紙１枚のジャム発生確率が２０％以上であると判断する場合（Ｓ１０５：ＹＥＳ）、処理対象ジョブを印刷用キューから削除し、処理対象ジョブをキャンセルする（Ｓ２１０）。そして、ＣＰＵ３１は、処理対象ジョブをキャンセルされたことを、表示部３６を介してユーザに通知し（Ｓ２２０）、キャンセル処理を終了する。例えば、ＣＰＵ３１は、「ジャム発生率が高いジョブは印刷することができません。ジョブを削除します。」というような内容のメッセージ３１０を表示部３６に表示させる。
【００７３】
一方、ＣＰＵ３１は、処理対象ジョブの印刷条件における記録用紙１枚のジャム発生確率が２０％未満であると判断する場合（Ｓ１０５：ＮＯ）、処理対象ジョブに基づいて印刷部３７に印刷を実行させ（Ｓ２３０）、キャンセル処理を終了する。
【００７４】
なお、Ｓ１０１において、ＣＰＵ３１は、印刷用キューに印刷ジョブがないと判断する場合（Ｓ１０１：ＮＯ）、キャンセル処理を終了する。
【００７５】
（第２の実施形態の効果）
ＣＰＵ３１は、ジャム発生確率が特に高いと判断する処理対象ジョブを印刷用キューから削除し、処理対象ジョブをキャンセルするので（Ｓ２１０）、ジャム発生確率が高い処理対象ジョブの印刷を禁止することとなり、録用紙Ｗの詰まりの発生確率が高確率と判断される印刷ジョブにより記録用紙Ｗの詰まりの発生確率が高確率でないと判断される印刷ジョブの印刷が待たされなくなる。
【００７６】
また、ＣＰＵ３１は、処理対象ジョブをキャンセルされたことを、表示部３６を介してユーザに通知するので（Ｓ２２０）、ユーザは、印刷ジョブが印刷されないとことを把握しやすくなり、ユーザの利便性が増す。
【００７７】
（第３の実施形態）
次に本発明の第３の実施形態について説明する。第３の実施形態は、第１の実施形態及び第２の実施形態と異なり、印刷ジョブのジャム発生確率が高い場合には、ジャム発生確率の低い記録用紙Ｗへの変更又はトレイＴへの変更し、印刷する実施形態である。なお、第１の実施形態と同じ箇所については、適宜省略しながら説明する。
【００７８】
図１０は、ジャム発生確率の高い印刷ジョブの印刷設定を変更する第１の印刷設定変更処理の流れを示すフローチャートである。図１０及び図１１を参照しながら、第１の印刷設定変更処理について説明する。
【００７９】
まず、ＣＰＵ３１は、ＲＡＭ３３に記憶されている印刷用キューに印刷ジョブがあるか判断し（Ｓ１０１）、印刷用キューに印刷ジョブがあると判断する場合（Ｓ１０１：ＹＥＳ）、続いて、処理対象ジョブの印刷条件における記録用紙１枚のジャム発生確率が１０％以上であるか判断する（Ｓ１０６）。
【００８０】
Ｓ１０６において、ＣＰＵ３１は、処理対象ジョブの印刷条件における記録用紙１枚のジャム発生確率が１０％以上であると判断する場合（Ｓ１０６：ＹＥＳ）、記録用紙Ｗの設定又はトレイＴの設定を処理対象ジョブの印刷条件における記録用紙１枚のジャム発生確率が１０％以下となる設定に変更する（Ｓ３１０）。そして、ＣＰＵ３１は、記録用紙Ｗの設定又はトレイＴの設定を処理対象ジョブの印刷条件における記録用紙１枚のジャム発生確率が１０％以下となる設定に変更されたことを、表示部３６を介してユーザに通知させ（Ｓ３２０）、続いて、処理対象ジョブに基づいて印刷部３７に印刷を実行させ（Ｓ２３０）、第１の印刷設定変更処理を終了する。
【００８１】
例えば、ＣＰＵ３１は、図４のトレイＴのジャム情報テーブル２１０からオプショントレイＴ２のジャム発生確率が１０％であるので、トレイＴの設定をオプショントレイＴ２からジャム発生確率が０．４％の標準トレイＴ１に変更する。そして、ＣＰＵ３１は、「オプショントレイはジャム発生確率が高いため、標準トレイの記録用紙から印刷します。」というような内容のメッセージ３２０を表示部３６に表示させる。
【００８２】
一方、ＣＰＵ３１は、処理対象ジョブの印刷条件における記録用紙１枚のジャム発生確率が１０％未満であると判断する場合（Ｓ１０６：ＮＯ）、処理対象ジョブに基づいて印刷部３７に印刷を実行させ（Ｓ２３０）、第１の印刷設定変更処理を終了する。
【００８３】
なお、Ｓ１０１において、ＣＰＵ３１は、印刷用キューに印刷ジョブがないと判断する場合（Ｓ１０１：ＮＯ）、第１の印刷設定変更処理を終了する。
【００８４】
（第３の実施形態の効果）
ＣＰＵ３１は、ジャム発生確率が高いと判断する処理対象ジョブの印刷条件が、ジャム発生確率の低い印刷条件に変更させ（Ｓ３１０）、変更されたジャム発生確率の低い印刷条件の処理対象ジョブに基づいて印刷部３７に印刷を開始させるので、ジャム発生確率が高い処理対象ジョブに基づいて印刷が行われない事態を少なくすることができる。
【００８５】
また、ＣＰＵ３１は、処理対象ジョブの印刷条件における記録用紙１枚のジャム発生確率が１０％以上であると判断する場合（Ｓ１０６：ＹＥＳ）、記録用紙Ｗの設定又はトレイＴの設定を処理対象ジョブの印刷条件における記録用紙１枚のジャム発生確率が１０％以下となる設定に変更するので（Ｓ３１０）、紙詰まりの発生確率が低くなり、ユーザの手を煩わせることなく紙詰まりの発生を抑制することができる。
【００８６】
また、ＣＰＵ３１は、記録用紙Ｗの設定又はトレイＴの設定を処理対象ジョブの印刷条件における記録用紙１枚のジャム発生確率が１０％以下となる設定に変更されたことを、表示部３６を介してユーザに通知させるので（Ｓ３２０）、ユーザは記録用紙の種類と給紙部とが変更されることを把握しやすくなり、ユーザの利便性が増す。
【００８７】
（第４の実施形態）
次に、本発明の第４の実施形態について説明する。第４の実施形態は、第３の実施形態の変形例であり、印刷ジョブのジャム発生確率が高い場合には、ユーザにジャム発生確率の低い記録用紙への変更又はトレイＴへの変更することを促し、ジャム発生確率の低い記録用紙Ｗへの変更又はトレイＴへの変更がされると、印刷が行われる実施形態である。なお、第１から第３の実施形態と同じ箇所については、適宜省略しながら説明する。
【００８８】
図１２は、ジャム発生確率の高い印刷ジョブの印刷設定を変更する第２の印刷設定変更処理の流れを示すフローチャートである。図１２及び図１３を参照しながら、第２の印刷設定変更処理について説明する。
【００８９】
まず、ＣＰＵ３１は、ＲＡＭ３３に記憶されている印刷用キューに印刷ジョブがあるか判断し（Ｓ１０１）、印刷用キューに印刷ジョブがあると判断する場合（Ｓ１０１：ＹＥＳ）、続いて、処理対象ジョブの印刷条件における記録用紙１枚のジャム発生確率が１０％以上であるか判断する（Ｓ１０６）。
【００９０】
Ｓ１０６において、ＣＰＵ３１は、処理対象ジョブの印刷条件における記録用紙１枚のジャム発生確率が１０％以上であると判断する場合（Ｓ１０６：ＹＥＳ）、記録用紙Ｗの設定又はトレイＴの設定を処理対象ジョブの印刷条件における記録用紙１枚のジャム発生確率が１０％以下となる設定に変更することを、表示部３６を介してユーザに通知させるか、端末装置１０の表示部１６に表示することにより通知させるかし（Ｓ４１０）、記録用紙Ｗの設定又はトレイＴの設定の変更がされたか判断する（Ｓ４２０）。そして、ＣＰＵ３１は、記録用紙Ｗの設定又はトレイＴの設定の変更がされたと判断する場合（Ｓ４２０：ＹＥＳ）、処理対象ジョブに基づいて印刷部３７に印刷を実行させ（Ｓ２３０）、第２の印刷設定変更処理を終了する。
【００９１】
また、ＣＰＵ３１は、記録用紙Ｗの設定又はトレイＴの設定の変更がされなかったと判断する場合（Ｓ４２０：ＮＯ）、印刷用キューから処理対象ジョブを削除、処理対象ジョブをキャンセルする（Ｓ２１０）。そして、削除した処理対象ジョブのユーザに、処理対象ジョブについて記録用紙Ｗの設定又はトレイＴの設定を変更して再送信することを、端末装置１０の表示部１６に表示させることによりユーザに通知して（Ｓ４３０）、第２の印刷設定変更処理を終了する。
【００９２】
一方、ＣＰＵ３１は、印刷対象ジョブの印刷条件における記録用紙１枚のジャム発生確率が１０％未満であると判断する場合（Ｓ１０６：ＮＯ）、処理対象ジョブに基づいて印刷部３７に印刷を実行させ（Ｓ２３０）、第２の印刷設定変更処理を終了する。
【００９３】
なお、Ｓ１０１において、ＣＰＵ３１は、印刷用キューに印刷ジョブがないと判断する場合（Ｓ１０１：ＮＯ）、第２の印刷設定変更処理を終了する。
【００９４】
（第４の実施形態の効果）
ＣＰＵ３１は、記録用紙の詰まりの発生確率が高いと判断する場合に、ユーザにジャム発生確率の低い記録用紙への変更又はトレイＴへの変更することを促し（Ｓ４１０）、ジャム発生確率の低い記録用紙Ｗへの変更又はトレイＴへの変更がされると（Ｓ４２０：ＹＥＳ）、印刷を行わせるので（Ｓ２３０）、変更されたジャム発生確率の低い印刷条件の処理対象ジョブに基づいて印刷部３７に印刷を開始させるので、ジャム発生確率が高い処理対象ジョブに基づいて印刷が行われない事態を少なくすることができる。
【００９５】
また、ＣＰＵ３１は、記録用紙Ｗの設定又はトレイＴの設定の変更がされなかったと判断する場合（Ｓ４２０：ＮＯ）、処理対象ジョブをキャンセルするので（Ｓ２１０）、ジャム発生確率が高い処理対象ジョブの印刷を禁止することとなり、記録用紙Ｗの詰まりの発生により印刷が他のユーザの印刷が記録用紙Ｗの詰まりが解消されるまで待たされないようにすることで、他のユーザに迷惑がかかりにくくなる。
【００９６】
また、ＣＰＵ３１は、処理対象ジョブの印刷条件における記録用紙１枚のジャム発生確率が１０％以上であると判断する場合（Ｓ１０６：ＹＥＳ）、記録用紙Ｗの設定又はトレイＴの設定を処理対象ジョブの印刷条件における記録用紙１枚のジャム発生確率が１０％以下となる設定に変更することを、表示部３６を介してユーザに通知させるか、端末装置１０の表示部１６に表示することにより通知させるので（Ｓ４１０）、紙詰まりの発生確率が低くなるようにユーザに促すことなり、ユーザが紙詰まりを解除する手間を減らす可能性を高くすることができる。
【００９７】
（その他の実施形態）
（１）第１〜４の実施形態では、プリンタ３０の底部に設けられたトレイＴを例示したが、本発明はこれに限られない。例えばプリンタ３０の前面に開口形成された挿入口（図示せず）からレジストレーションローラ４９へと導くための手差しトレイ（図示せず）などであってもよい。また、マニュアル方式において、この手差しトレイを利用するものであってもよい。
【００９８】
（２）第１〜４の実施形態では、各センサ４０Ａからの検知信号に基づき各方式におけるジャム発生確率の高低を判断したが、本発明はこれに限られない。例えば予め各方式（最大枚数）と、ジャムの発生確率とを実験的に求めておいて、その対応関係テーブルをハードディスクドライブ３４に記憶しておき、ＣＰＵ３１がこの対応関係テーブルを参照してジャム発生確率の高低を判断してもよい。また、温度、湿度、色数（カラー、モノクロ）、シートＷの材質（厚紙、普通紙、ＯＨＰ）、トレイＴの種類、累積印刷枚数、ローラ回転数等の少なくともいずれかと、ジャムの発生確率とを実験的に求めておいて、その対応関係テーブルをハードディスクドライブ３４に記憶しておき、ＣＰＵ３１がこの対応関係テーブルを参照してジャム発生確率の高低を判断してもよい。
【００９９】
（３）第１の実施形態では、Ｓ１０７において、ＣＰＵ３１は、処理対象ジョブの印刷条件における記録用紙１枚のジャム発生確率と比較対象ジョブの印刷条件における記録用紙１枚のジャム発生確率との相対的な比較を行っているが、Ｓ１０５やＳ１０６のように所定のジャム発生確率であるか絶対的な比較行ってもよい。例えば、Ｓ１０７に代えて、比較対象ジョブの印刷条件における記録用紙１枚のジャム発生確率が１０％未満である実施形態であってもよい。また、Ｓ１０５やＳ１０６を相対的な比較に代えてもよく、ＣＰＵ３１は、比較対象ジョブの印刷条件における記録用紙１枚のジャム発生確率より処理対象ジョブの印刷条件における記録用紙１枚のジャム発生確率が高いと判断する場合、処理対象ジョブを印刷用キューの最後に移動する（Ｓ１１１）実施形態であってもよい。
【０１００】
（４）第１の実施形態では、Ｓ１０５、Ｓ１０６及びＳ１０７において、印刷ジョブの印刷条件における記録用紙１枚のジャム発生確率について判断していたが、印刷ジョブごとのジャム発生確率を判断する実施形態であってもよい。例えば、印刷ジョブごとのジャム発生確率は、印刷ジョブの印刷条件における記録用紙１枚のジャム発生確率と印刷ジョブの印刷枚数とに基づいて求めればよい。
【０１０１】
（５）第１の実施形態では、印刷用キューの先頭の２つの印刷ジョブについて比較する実施形態であったが、処理対象ジョブと印刷用キューにある他の印刷ジョブとについて比較する実施形態であってもよい。例えば、処理対象ジョブと印刷用キューにある他の印刷ジョブとを比較していくときに比較対象を特定する比較用ポインタを、処理対象ジョブの次の印刷ジョブに移動して、比較用ポインタがさす印刷ジョブを比較対象ジョブに決定する（Ｓ１０４）。そして、比較対象ジョブについて、Ｓ１０７〜Ｓ１１０の判断が終わると、比較対象ジョブの次の印刷ジョブに比較用ポインタを移動して、Ｓ１０７〜Ｓ１１０の判断をする。これを印刷用キューにある全ての印刷ジョブについて行う。
【０１０２】
（６）第１の実施形態において、印刷用キューに記録用紙１枚のジャム発生確率が２０％以上のジョブが複数あり、記録用紙１枚のジャム発生確率が２０％未満のジョブがない場合は、記録用紙１枚のジャム発生確率が小さい順に別途印刷されるようにしてもよい。また、ユーザが操作部３６から印刷指示をしたとき、印刷させてもよい。
【０１０３】
（７）第１〜４の実施形態では、電子写真方式の画像形成装置の実施形態について説明したが、インクジェット方式の画像形成装置にも適用することができる。
【０１０４】
（８）以上、第１〜４の実施形態のいくつかを図面に基づいて詳細に説明したが、これらは例示であり、当業者の知識に基づいて種々の変形、改良を施した他の形態で本発明を実施することが可能である。
【符号の説明】
【０１０５】
１      印刷システム
１０      端末装置
１１      ＣＰＵ
１４      ハードディスクドライブ
１５      操作部
３０      プリンタ
３１      ＣＰＵ
３８      搬送機構
４０      記録用紙検知部
Ｐ１      印刷搬送パス
Ｐ２      反転搬送パス
Ｔ      トレイ
Ｗ      記録用紙
Ｘ      印刷位置
【図１】
0005445480.tif 000002
【図２】
0005445480.tif 000003
【図３】
0005445480.tif 000004
【図４】
0005445480.tif 000005
【図５】
0005445480.tif 000006
【図６】
0005445480.tif 000007
【図７】
0005445480.tif 000008
【図８】
0005445480.tif 000009
【図９】
0005445480.tif 000010
【図１０】
0005445480.tif 000011
【図１１】
0005445480.tif 000012
【図１２】
0005445480.tif 000013
【図１３】
0005445480.tif 000014